(57)【要約】【課題】手元端末での画面操作でもって、ＴＶ受像機で所望のコンテンツ画面を簡単に表示させることができるようにする。【解決手段】図４（ｃ）に示すように、ＴＶ受像機１２のＴＶ表示画面１３で受信番組画面３６が表示された状態で手元端末１０の手元表示画面１１で他の受信番組画面３６ａが表示されている状態で、この受信番組画面３６ａをＴＶ受信画面１３に移すと、図５（ａ）に示すように、手元表示画面１１に受信チャンネルを選択可能な受信用リモコン画面４０が表示される。そして、ボタン操作によって、図５（ｂ）に示すように、手元表示画面１１に関連ウェブ画面４６を表示させ、これをＴＶ表示画面１３に移すと、図５（ｃ）に示すように、手元表示画面１１にこの関連ウェブ画面４６上でカーソル５０の操作をするためのウェブ用リモコン画面５１が表示される。【選択図】図５
2010239251.tif 000002
【特許請求の範囲】
【請求項１】
表示画面を有する手元端末を備えたＴＶ（テレビジョン）受像機の表示方法であって、
該手元端末の表示画面の傍らに、該ＴＶ受像機を操作する操作ボタンを設けるとともに、
該手元端末の表示画面に、該ＴＶ受像機の表示画面に表示されるコンテンツ画面を操作するためのリモコン画面を表示する
ことを特徴とするテレビ操作方法。
【請求項２】
請求項１において、
前記手元端末の表示画面の傍らに設けられた操作ボタンの１つは、前記手元端末の表示画面に表示されているコンテンツ画面を前記ＴＶ受像機の表示画面に移して表示させる「画面送り」ボタンであり、
前記手元端末の表示画面の傍らに設けられた操作ボタンの他の１つは、前記ＴＶ受像機の表示画面に表示されているコンテンツ画面を前記手元端末の表示画面に移して表示させる「画面受取」ボタンである
ことを特徴とするテレビ操作方法。
【請求項３】
請求項２において、
前記ＴＶ受像機の表示画面に受信番組画面が表示されているときに、前記「画面送り」ボタンが操作されると、前記手元端末の表示画面に、前記ＴＶ受像機の表示画面に表示される受信番組を選択するための受信用リモコン画面を表示することを特徴とするテレビ操作方法。
【請求項４】
請求項３において、
前記ＴＶ受像機の表示画面に受信番組画面が表示されているときに、前記手元端末の表示画面に表示される前記受信用リモコン画面に表示される選択ボタンの１つは、前記ＴＶ受像機の表示画面に表示される受信番組を選択するための番組選択画面を前記ＴＶ受像機の表示画面に表示させる選択ボタンであることを特徴とするテレビ操作方法。
【請求項５】
請求項２において、
前記手元端末の表示画面の傍らに設けられた操作ボタンの１つは、前記ＴＶ受像機の表示画面にコンテンツ画面が表示されているとき、当該コンテンツ画面の関連情報を選択するための関連ウェブ画面を表示させる「関連情報」ボタンであることを特徴とするテレビ操作方法。
【請求項６】
請求項５において、
前記手元端末の表示画面に前記関連ウェブ画面が表示されているときに、前記「画面送り」ボタンが操作されると、前記関連ウェブ画面が前記ＴＶ受像機の表示画面に表示され、かつ前記手元端末の表示画面に、前記関連ウェブ画面をカーソル操作するためのウェブ用リモコン画面が表示されることを特徴とするテレビ操作方法。
【請求項７】
請求項２〜６のいずれか１つにおいて、
前記手元端末の表示画面の傍らに設けられた操作ボタンの１つは、録画コンテンツの再生選択を可能とする「ホーム」画面を前記手元端末に表示させる「ホーム」ボタンであることを特徴とするテレビ操作方法。
【請求項８】
請求項７において、
前記手元端末の表示画面に表示される前記「ホーム」画面での録画コンテンツの選択とともに、前記手元端末の表示画面に選択された録画コンテンツが表示され、
かつ前記「画面送り」ボタンが操作されるとともに、該選択された録画コンテンツの再生画面が前記ＴＶ受像機の表示画面に表示され、前記手元端末の表示画面に、前記ＴＶ受像機の表示画面に表示されている該録画コンテンツの再生を制御するための再生操作用リモコン画面が表示される
ことを特徴とするテレビ操作方法。
【請求項９】
請求項８において、
前記再生操作用リモコン画面での再生停止の操作とともに、前記ＴＶ受像機の表示画面に受信番組画面を表示させ、かつ前記手元端末の表示画面に、前記ＴＶ受像機の表示画面に表示する受信番組を選択するための受信用リモコン画面を表示することを特徴とするテレビ操作方法。
【請求項１０】
請求項１〜９のいずれか１つにおいて、
前記手元端末を使用するユーザの視線の方向を検出する手段を設け、
該手段が検出する該視線の方向の変化に応じて、前記手元端末の表示画面に表示されるコンテンツ画面を前記ＴＶ受像機の表示画面に移して表示させ、前記ＴＶ受像機の表示画面に表示されるコンテンツ画面を前記手元端末の表示画面に移して表示させることを特徴とするテレビ操作方法。
【発明の詳細な説明】
【技術分野】
【０００１】
本発明は、ＴＶ（テレビジョン）受像機の表示画面での受信番組やウェーブページなどのコンテンツのテレビ表示方法に係り、特に、その操作に関する。
【背景技術】
【０００２】
ＴＶ受像機では、通常、リモートコントローラ（以下、リモコンという）が備えられており、このリモコンに設けられている操作ボタンを操作することにより、ＴＶ受像機の電源のオン／オフ操作や受信番組のチャンネル切り替え操作，受信番組の録画や再生の操作，音量調整操作などを行なうことができる。
【０００３】
これに対し、リモコンに表示画面を設け、この表示画面でも受信番組を表示できるようにした技術が提案されている（例えば、特許文献１参照）。
【０００４】
この特許文献１に記載の技術は、リモコンの表示画面に受信番組を表示し、ＴＶ受像機とは独立に受信番組のチャンネル切り替えができるようにしたものであって、希望するチャンネルの受信番組がリモコンで得られると、リモコンの決定操作により、この受信番組をＴＶ受像機の表示画面でも表示させることができるようにしたものである。
【０００５】
また、表示画面を備えた大画面表示装置と、同じく表示画面を有する可搬型表示装置とからなるシステムにおいて、これら大画面表示装置と可搬型表示装置との表示画面で放送番組を表示するようにするとともに、大画面表示装置で表示されている放送番組を可搬型表示装置でも表示させたり、可搬型表示装置で表示されている放送番組を大画面表示装置でも表示させたり、大画面表示装置と可搬型表示装置とで表示されている放送番組を交換して表示させるようにした技術も提案されている（例えば、特許文献２参照）。
【０００６】
この特許文献２に記載の技術では、可搬型表示装置の表示画面にはタッチパネルが設けられ、これにより、コントロールパネルが表示される番組と合成されて表示され、このコントロールパネルをタッチ操作することにより、大画面表示装置に対する操作が行なわれる
【先行技術文献】
【特許文献】
【０００７】
【特許文献１】特開２００４ー９６３６１号公報
【特許文献２】特開２００３ー３３３３５９号公報
【発明の概要】
【発明が解決しようとする課題】
【０００８】
ところで、上記特許文献１に記載の技術では、リモコンで受信番組の画面を見ながら希望するチャンネルの受信番組を決定することができるものであるが、この決定された受信番組をＴＶ受像機で表示させると、リモコンでも、決定されて受信番組の画面がそのまま表示された状態にあり、他のチャンネルの受信番組を選択するためには、そのための上記の操作、即ち、チャンネルを１つずつ切り替えて所望のチャンネルの番組を探索するという操作が必要となる。
【０００９】
また、リモコンでは、表示画面が設けられた場合、各種の操作ボタンが設けられているため、その表示画面のサイズが制限され、表示される受信番組の画面が小さくなり、その画面での操作性が損なわれるという問題もある。
【００１０】
また、上記特許文献２に記載の発明は、大画面表示装置で表示されていた画面を可搬型表示装置で見ることができるようにすることができるし、逆に、可搬型表示装置で表示されていた画面を大画面表示装置で見ることができるようにすることができるのであるが、可搬型表示装置の表示画面にはタッチパネルが設けられ、これにより、コントロールパネルが表示される番組と合成されて表示され、このコントロールパネルをタッチ操作することにより、大画面表示装置に対する操作が行なわれるものであるが、かかるコントロールパネルは表示されたり、表示されなかったりするものであり、そのための操作が必要となる。
【００１１】
本発明の目的は、かかる問題を解消し、手元端末での画面操作でもって、ＴＶ受像機で所望のコンテンツ画面を簡単に表示させることができるようにしたテレビ操作方法を提供することにある。
【課題を解決するための手段】
【００１２】
上記目的を達成するために、本発明は、表示画面を有する手元端末を備えたＴＶ（テレビジョン）受像機の表示方法であって、手元端末の表示画面の傍らに、ＴＶ受像機を操作する操作ボタンを設けるとともに、手元端末の表示画面に、ＴＶ受像機の表示画面に表示されるコンテンツ画面を操作するためのリモコン画面を表示することを特徴とする。
【００１３】
また、本発明は、手元端末の表示画面の傍らに設けられた操作ボタンの１つが、手元端末の表示画面に表示されているコンテンツ画面をＴＶ受像機の表示画面に移して表示させる「画面送り」ボタンであり、手元端末の表示画面の傍らに設けられた操作ボタンの他の１つが、ＴＶ受像機の表示画面に表示されているコンテンツ画面を手元端末の表示画面に移して表示させる「画面受取」ボタンであることを特徴とする。
【００１４】
また、本発明は、ＴＶ受像機の表示画面に受信番組画面が表示されているときに、「画面送り」ボタンが操作されると、手元端末の表示画面に、ＴＶ受像機の表示画面に表示される受信番組を選択するための受信用リモコン画面を表示することを特徴とする。
【００１５】
また、本発明は、ＴＶ受像機の表示画面に受信番組画面が表示されているときに、手元端末の表示画面に表示される受信用リモコン画面に表示される選択ボタンの１つが、ＴＶ受像機の表示画面に表示される受信番組を選択するための番組選択画面をＴＶ受像機の表示画面に表示させる選択ボタンであることを特徴とする。
【００１６】
また、手元端末の表示画面の傍らに設けられた操作ボタンの１つが、ＴＶ受像機の表示画面にコンテンツ画面が表示されているとき、当該コンテンツ画面の関連情報を選択するための関連ウェブ画面を表示させる「関連情報」ボタンであることを特徴とする。
【００１７】
また、手元端末の表示画面に関連ウェブ画面が表示されているときに、「画面送り」ボタンが操作されると、関連ウェブ画面がＴＶ受像機の表示画面に表示され、かつ手元端末の表示画面に、関連ウェブ画面をカーソル操作するためのウェブ用リモコン画面が表示されることを特徴とする。
【００１８】
また、本発明は、手元端末の表示画面の傍らに設けられた操作ボタンの１つが、録画コンテンツの再生選択を可能とする「ホーム」画面を手元端末に表示させる「ホーム」ボタンであることを特徴とする。
【００１９】
また、本発明は、手元端末の表示画面に表示される「ホーム」画面での録画コンテンツの選択とともに、手元端末の表示画面に選択された録画コンテンツが表示され、かつ「画面送り」ボタンが操作されるとともに、選択された録画コンテンツの再生画面がＴＶ受像機の表示画面に表示され、手元端末の表示画面に、ＴＶ受像機の表示画面に表示されている録画コンテンツの再生を制御するための再生操作用リモコン画面が表示されることを特徴とする。
【００２０】
また、本発明は、再生操作用リモコン画面での再生停止の操作とともに、ＴＶ受像機の表示画面に受信番組画面を表示させ、かつ手元端末の表示画面に、ＴＶ受像機の表示画面に表示する受信番組を選択するための受信用リモコン画面を表示することを特徴とする。
【００２１】
また、本発明は、手元端末を使用するユーザの視線の方向を検出する手段を設け、この手段が検出する視線の方向の変化に応じて、手元端末の表示画面に表示されるコンテンツ画面をＴＶ受像機の表示画面に移して表示させ、ＴＶ受像機の表示画面に表示されるコンテンツ画面を手元端末の表示画面に移して表示させることを特徴とする。
【発明の効果】
【００２２】
本発明によると、手元端末の表示画面で、コンテンツ画面を表示させることができるとともに、このコンテンツ画面をＴＶ受像機に移して表示させるときには、その操作のための画面を手元端末の表示画面に表示させることができるから、ＴＶ受像機の表示画面に表示させるコンテンツ画面の操作を即座に、かつ簡単に行なうことができる。
【図面の簡単な説明】
【００２３】
【図１】本発明によるテレビ操作方法を用いたシステムの一実施形態を示すシステム構成図である。
【図２】図１における手元端末１０の一具体例を示す外観正面図である。
【図３】手元端末１０が起動するときの手元表示画面１１で表示される画面の流れの一具体例を示す図である。
【図４】手元端末１０での操作によるＴＶ受像機１２の起動から番組選択までのＴＶ表示画面１３と手元表示画面１１で表示される画面の流れの一具体例を示す図である。
【図５】手元表示画面１１で表示されている画面をＴＶ表示画面１３で表示させる場合の操作手順とＴＶ表示画面１３と手元表示画面１１で表示される画面の流れの一具体例を示す図である。
【図６】図２における「画面受取」ボタン２１ｂの操作と図１における制御装置１での記憶装置５から録画コンテンツの再生操作とによる画面の流れの一具体例を示す図である。
【図７】録画コンテンツの再生操作とその画面の流れの一具体例を示す図である。
【図８】図２における「画面送り」ボタン２１ａのタッチ操作による画面表示の変化を示すフローチャートである。
【図９】図２における「リモコンモード」ボタン２０ｂのタッチ操作による画面表示の変化を示すフローチャートである。
【図１０】図２における「録画」ボタン２１ｄのタッチ操作による画面表示の変化を示すフローチャートである。
【図１１】図２における「関連情報」ボタン２１ｃのタッチ操作による画面表示の変化を示すフローチャートである。
【図１２】手元端末１０で希望するコンテンツ画面を選択して直接ＴＶ表示画面に表示させるための操作とこれによる一連の処理動作を示すフローチャートである。
【図１３】本発明によるテレビ操作方法の第２の実施形態の要部を示す図である。
【図１４】本発明によるテレビ操作方法の第２の実施形態の他の要部を示す図である。
【発明を実施するための形態】
【００２４】
以下、本発明の実施形態を図面を用いて説明する。
【００２５】
図１は本発明によるテレビ操作方法の一実施形態を示すシステム構成図であって、１は制御装置、２は制御部、３ａ，３ｂはチューナ、４は電源、５は記憶装置、６はリモコン受信部、７は入出力部、８は通信部、９はアンテナ、１０は手元端末、１１は手元表示画面、１２はＴＶ（テレビジョン）受像機、１３はＴＶ表示画面、１４はリモコン、１５はネットワークである。
【００２６】
同図において、この実施形態は、制御装置１とこれに接続されたノートパソコンや携帯端末，ゲーム機などの携帯型の手元端末１０やＴＶ受像機１２などから構成されたシステムで実行されるものである。
【００２７】
この制御部１は、アンテナ９に接続された２つのチューナ３ａ，３ｂと、制御装置１の各部に電源電圧を供給する電源４と、放送ＴＶ番組の録画など各種の情報を保存するための記憶装置５と、リモコン１４からの操作信号を、例えば、赤外線などによって受信するリモコン受信部６と、ＴＶ受像機１２と接続される入出力部７と、手元端末１０や外部の有線もしくは無線のネットワーク１５と接続された通信部８と、これら各部を制御するとともに、各種の処理を行なう制御部２とから構成されている。
【００２８】
チューナ３ａ，３ｂでは、制御部２の制御のもとに、夫々所定のチャンネルの放送ＴＶ番組を受信するが、チューナ３ａ，３ｂのいずれか一方で受信されたＴＶ放送番組が入出力部７からＴＶ受像機１２に供給され、その表示画面、即ち、ＴＶ表示画面１３に表示される。また、同様にして、チューナ３ａ，３ｂのいずれか一方で受信されたＴＶ放送番組は、通信部８を介して手元端末１０に供給され、その表示画面、即ち、手元表示画面１１で表示させることができる。この場合、手元端末１０とＴＶ受像機１２とは、チューナ３ａ，３ｂで受信された同じチャンネルの放送ＴＶ番組を表示するようにすることもできるし、異なるチャンネルの放送ＴＶ番組を表示するようにすることもできる。
【００２９】
ここで、リモコン１４は、ＴＶ受像機１２での受信番組のチャンネルの切り替えや音量調整，録画／再生などの指示を行なうことができるものであり、リモコン１４からのかかる操作信号はリモコン受信部６で受信されて制御部２に供給され、制御部２で処理されてチャンネル切り替え制御信号や音量調整信号，録画／再生指示信号などの制御信号が作成され、入出力部７からＴＶ受像機１２に供給されるし、記憶部５を制御して受信される放送ＴＶ番組の録画や再生を行なわせる。このように、リモコン１４の操作により、ＴＶ受像機１２に対して、従来と同様の各種の制御が行なわれる。制御装置１の電源４やＴＶ受像機１２の電源（図示せず）も、同様にして、リモコン１４の操作により、オン／オフ制御することができる。
【００３０】
また、手元端末１０は、その手元表示画面１１で表示するための放送ＴＶ番組のチャンネル切り替えなどのＴＶ受像機１２と同様のこの手元端末１０のための操作を可能とするものであるが、ＴＶ受像機１２の操作を行なうリモコンモードを設定することができ、これにより、ＴＶ受像機１２をリモコン１４と同様のリモコン操作することができる。さらには、手元表示画面１１で表示されているチャンネルの放送ＴＶ番組をＴＶ受像機で表示させることができるようにしているし、また、手元表示画面１１で表示されているチャンネルの放送ＴＶ番組とＴＶ表示画面１３で表示されている放送ＴＶ番組とを入れ替えて表示させるようにすることもできる。
【００３１】
さらに、通信部８は、ネットワーク１５を介して、例えば、インターネットなどの外部からウェブベージなどのコンテンツ（ウェブコンテンツ）を取得することができ、これがＴＶ受像機１２もしくは手元端末１０に供給されて画面表示される。かかるウェブモードは、リモコン１４や手元端末１０の操作によって設定される。
【００３２】
さらに、制御装置１は、ＴＶ受像機１２に内蔵されたものであってもよいし、ＴＶ受像機１２とは独立の装置であってもよい。
【００３３】
図２は図１における手元端末１０の一具体例を示す外観正面図であって、２０ａは「テレビ電源」ボタン、２０ｂは「リモコンモード」ボタン、２０ｃは「チャンネル切替」ボタン、２０ｄは「音量調整」ボタン、２０ｅは「消音」ボタン、２１ａは「画面送り」ボタン、２１ｂは「画面受取」ボタン、２１ｃは「関連情報」ボタン、２１ｄは「録画」ボタン、２１ｅは「機能」ボタン、２１ｆは「ホーム」ボタンであり、図１に対応する部分には同一符号をつけている。
【００３４】
同図において、手元端末１０では、その前面のほぼ全体にわたって表示画面、即ち、手元表示画面１１が設けられており、その手元表示画面１１の両側にタッチ操作される各種の操作ボタンが設けられている。
【００３５】
即ち、手元端末１０の手元表示画面１１の左側には、「テレビ電源」ボタン２０ａと「リモコンモード」ボタン２０ｂと「チャンネル切替」ボタン２０ｃと「音量調整」ボタン２０ｄと「消音」ボタン２０ｅとが設けられており（以下では、これら操作ボタンを総称する場合、ＴＶ操作ボタン２０という）、これらを操作することにより、その操作信号が手元端末１０から制御装置１の通信部８に送信される。制御装置１では、通信部８で受信されたこの操作信号が制御部２に送られ、制御部２がこの操作信号に応じた制御信号を作成して入出力部７からＴＶ受像機１２に送る。これにより、ＴＶ受像機１２は、手元端末１０のＴＶ操作ボタン２０の操作に応じて、その表示動作が制御される。
【００３６】
ここで、「テレビ電源」ボタン２０ａは、ＴＶ受像機１２の電源をオン／オフする操作ボタンであり、「リモコンモード」ボタン２０ｂは、ＴＶ受像機１で表示する受信番組や録画番組，ウェブコンテンツ，メニュー画面など（以下、これらを総称する場合、コンテンツといい、特に、受信番組を受信コンテンツ、録画番組を録画コンテンツという）を手元端末１０で選択できるようにする操作ボタンである。また、「チャンネル切替」ボタン２０ｃは、ＴＶ受像機１２での受信チャンネルを切り替えるための操作ボタンであり、「音量調整」ボタン２０ｄはＴＶ受像機１２の音量調整用の操作ボタン、「消音」ボタン２０ｅはＴＶ受像機１２で消音させるための操作ボタンである。
【００３７】
手元表示画面１１の右側には、「画面送り」ボタン２１ａと「画面受取」ボタン２１ｂと「関連情報」ボタン２１ｃと「録画」ボタン２１ｄと「機能」ボタン２１ｅと「ホーム」ボタン２１ｆとが設けられている（以下では、これら操作ボタンを総称する場合、手元操作ボタン２１という）。
【００３８】
「画面送り」ボタン２１ａは、手元表示画面１１に表示されているコンテンツをＴＶ受像機１２で表示させることができるようにする操作ボタンであって、この「画面送り」ボタン２１ａが操作されると、手元表示画面１１で表示されているコンテンツを指定するコンテンツ指定情報が操作信号とともに制御装置１に送信され、制御装置１では、かかる操作信号を通信部８で受信し、制御部２でこの操作信号とコンテンツ指定情報をもとに、このコンテンツを表示する指令制御信号を入出力部７からＴＶ受像機１２に送る。この場合には、これまで手元端末１０に供給されていたチューナ３ａまたは３ｂからの受信コンテンツ、記録装置５からの録画コンテンツあるいはネットワーク１５からのウェブコンテンツなどは、制御部２の制御により、ＴＶ受像機１２に供給される。これにより、ＴＶ受像機１２では、この指定されたコンテンツの表示状態に切り替わる。これとともに、手元端末１０では、別のコンテンツの表示状態となる。
【００３９】
「画面受取」ボタン２１ｂは、ＴＶ表示画面１３に表示されているコンテンツを手元表示画面１１で表示させることができるようにする操作ボタンであって、この「画面受取」ボタン２１ｂが操作されると、その操作信号が制御装置１に送信され、制御装置１では、かかる操作信号を通信部８で受信し、制御部２でこの操作信号に応答してＴＶ受信機１での現在表示しているコンテンツの表示指示信号を作成し、通信部８から手元端末１０に送信する。これを受信した手元端末では、この表示指示信号で指示されるコンテンツを取得（あるいは、受信）する動作を行ない、手元表示画面１１に表示する。この場合には、これまでＴＶ受像機１２に供給されていたチューナ３ａまたは３ｂからの受信コンテンツ、記録装置５からの録画コンテンツあるいはネットワーク１５からのウェブコンテンツなどは、制御部２の制御により、手元端末１０に供給される。これにより、手元端末１０では、この指定されたコンテンツの表示状態に切り替わる。これとともに、ＴＶ受信受像機１２は、別のコンテンツの表示状態となる。
【００４０】
「関連情報」ボタン２１ｃは、手元表示画面１１またはＴＶ表示画面１３に表示されているコンテンツの関連情報（例えば、表示されている受信コンテンツでのある場面での紹介情報など）を表示させるための操作ボタンである。かかる関連情報は、放送コンテンツの放送元から放送コンテンツとともに送信される場合もあるし、また、ネットワーク１５を介してウェブサイトから取得することができる。コンテンツが制御装置１の記憶装置５に録画された場合には、その関連情報も同時に記憶するようにしてもよいし、また、要求によってウェブサイトから取得するようにしてもよい。
【００４１】
「録画」ボタン２１ｄは、手元表示画面１１またはＴＶ表示画面１３に表示されているコンテンツを制御装置１の記憶装置５に録画するための操作ボタンである。
【００４２】
「機能」ボタン２１ｅは、手元端末１０の明るさなどの画面設定を行なうための操作ボタンである。
【００４３】
「ホーム」ボタン２１ｆは、各コンテンツを選択するためのメニューを手元表示画面１１に表示させ、所望のコンテンツを選択することができるようにするための操作ボタンである。
【００４４】
次に、手元端末１０の操作による手元表示画面１１及びＴＶ表示画面１３で表示される画面の流れの一具体例について説明する。
【００４５】
図３は手元端末１０が起動するときの手元表示画面１１で表示される画面の流れの一具体例を示す図であって、３０はメールアイコン、３１はホーム画面、３２ａは「ホーム」項目、３２ｂは「テレビ番組」項目、３２ｃは「番組表」項目、３２ｄは「見る」項目、３３は内容表示エリア、３４はコンテンツアイコン、３５は情報表示ウィンドウである。
【００４６】
手元端末１０は、使用されないときには、その置台に置かれており、このときには、この手元端末１０の電源はオフ状態にある。図３（ａ）はかかる状態でのＴＶ表示画面１３と手元表示画面１１の状態を示しているが、この手元表示画面１１では、画面表示が行なわれていない。また、ここでは、ＴＶ受像機１２は電源オフの状態にあり、従って、そのＴＶ表示画面１３でも、画面表示が行なわれていないものとする。
【００４７】
かかる状態で、ユーザが手元端末１０を使用するために、手元端末１０に所定距離内に近づくと、手元端末１０に設けられた図示しないセンサによってこれが検出され、手元端末１０が電源オンして起動する。この起動により、手元表示画面１１が図３（ｂ）に示す初期画面を表示した状態となる。この初期画面では、手元表示画面１１のほぼ全体に写真や図柄などのフォト表示が行なわれ、あるいは広告などの画面が表示される。この場合、電子メールが受信されているときには、それを示すメールアイコン３０も表示される。
【００４８】
かかる初期画面の表示状態でユーザが手元端末１０を置台から取り出して離すと、手元表示画面１１は、図３（ｃ）に示すように、ホーム画面３１が表示された状態となる。
【００４９】
このホーム画面３１では、タッチ操作で選択可能に、「ホーム」項目３２ａ，「テレビ番組」項目３２ｂ，「番組表」項目３２ｃ，「見る」項目３２などの選択項目が配列して表示され、その１つが選択された状態にあって（例えば、デフォルトの場合には、左端の「ホーム」項目３２ａが選択されている）、その選択された項目の内容が内容表示エリア３４に表示されている。ここでは、いま、「ホーム」項目３２ａが選択されているとすると、内容表示エリア３３には、ウェブページを閲覧するためのアイコンや制御装置１（図１）での記録装置に保管されている録画コンテンツのアイコン（録画アイコン）などのコンテンツアイコン３４がタッチ選択操作可能に表示され、さらに、情報ウィンドウ３５には、例えば、新着情報などが表示されている。
【００５０】
なお、図示しないが、「番組表」項目３２ｃがタッチ操作されると、放送番組の番組表が内容表示エリア３３に表示される。「見る」項目ボタン３２ｄがタッチ操作されると、記録装置５に保管されている録画コンテンツを選択するための録画番組一覧画面が内容表示エリア３３に表示される。
【００５１】
図４は手元端末１０での操作によるＴＶ受像機１２の起動から番組選択までのＴＶ表示画面１３と手元表示画面１１で表示される画面の流れの一具体例を示す図であって、３６，３６ａは受信番組画面、３７は番組選択画面、３８ａ，３８ｂ，３８ｃはサムネイルであり、図１，図３に対応する部分には同一符号をつけて重複する説明を省略する。なお、ここでは、説明に必要な部分にのみ符号を付している。
【００５２】
図３（ｃ）に示す状態で、手元端末１０において、ユーザによって「テレビ電源」ボタン２０ａがタッチ操作されると、このタッチ操作に伴う指令信号により、制御装置１（図１）がＴＶ受像機１２を電源をオンにして起動させる。これにより、図４（ａ）に示す状態となる。この状態では、手元表示画面１１がホーム画面３１を表示した状態に保持されており、ＴＶ受像機１２では、それが起動したことにより、最後の電源オフとなるまでに表示されていた受信番組の画面、即ち、受信番組画面３６がそのＴＶ表示画面１３に表示される。
【００５３】
なお、ＴＶ受像機１２が既に起動しているときには、ＴＶ表示画面１３に受信番組画面が既に表示されているので、「テレビ電源」ボタン２０ａのタッチ操作は必要なく、図４（ａ）に示す状態は省かれる。
【００５４】
ここで、ＴＶ表示画面１３に表示される受信番組を選択する場合には、ホーム画面３１において、まず、ユーザによって「テレビ番組」項目３２ｂがタッチ操作されると、図４（ｂ）に示す状態となる。この状態では、ＴＶ受像機１２では、そのまま同じチャンネルの受信番組がＴＶ表示画面１３に表示されるが、手元端末１０では、現在放送されている放送番組のサムネイルの情報が制御装置１の記憶装置５に格納されている番組表やその付属情報から取得し、手元表示画面１１にかかるサムネイルが３８ａ，３８ｂ，３８ｃが配列されて表わされた番組選択画面３７が表示された状態となる。
【００５５】
なお、かかる番組選択画面３７では、ここでは、一例として、現在放送されている複数の番組のサムネイル３８（サムネイル３８ａ，３８ｂ，３８ｃ，……の総称）が水平方向にチャンネル順に配列され、そのうちの３個分が番組選択画面３７で表示されているものとするが、指先などを軽く画面に触れ、その状態で右方向、あるいは左方向に払うように移動させることにより、サムネイル３８の列も右方向あるいは左方向にスライドし、他の放送番組のサムネイルも表示させることが可能となる。
【００５６】
かかる番組選択画面３７で所望とする放送番組のサムネイル３８、例えば、「サムネイル」３８ｂがタッチ操作されると、この「サムネイル」３８ｂに該当する放送番組の受信指示が手元端末１０から制御装置１に送信され、制御装置１では、チューナ３ａ，３ｂのうちのＴＶ受像機１２で放送番組の受信に使用されていない方のチューナでこの指示された放送番組の受信を開始させ、これによる受信番組が手元端末１０に送られる。これにより、手元端末１０では、その手元表示画面１１全体に、図４（ｃ）に示すように、受信指示した受信番組が拡大されて表示される受信番組画面３６ａが表示された状態となる。このときでも、ＴＶ受像機１２では、これまで受信していた番組をそのまま受信し、その番組を表示し続ける。
【００５７】
この図４（ｃ）に示す手元表示画面１１のかかる受信番組画面３６ａの表示状態で、この手元表示画面１１をタッチ操作すると、図４（ｂ）に示す番組選択画面３７の表示状態に戻り、他のチャンネルの受信番組を選択することができる。あるいはまた、図４（ｃ）に示す手元端末１０での受信番組画面３６ａの表示状態で、図４（ｂ）に示す番組選択画面３７でのスライド操作と同様の操作をすることにより、この受信番組画面３６ａで表示される受信番組を変更させることができる。この場合には、かかるスライド操作に応じてチャンネルの切り替え指令信号が制御装置１に送信され、制御装置１では、このチャンネル切替指令信号に応じて、チューナ３ａ，３ｂのうちの手元端末１０に使用されていた方のチューナの受信チャンネルが変更される。
【００５８】
図５は手元表示画面１１で表示されている画面をＴＶ表示画面１３で表示させる場合の操作手順とＴＶ表示画面１３と手元表示画面１１で表示される画面の流れの一具体例を示す図であって、３６ａは番組画面、４０は受信番組用リモコン画面、４１ａ，４１ｂ，４１ｃはタブ、４２はページ、４３は番組アイコン、４４はカーソル、４５ａ，４５ｂは「閉じる」ボタン、４６は関連ウェブ画面、４７ａは「関連ウェーブ」タブ、４７ｂは「関連番組」タブ、４７ｃは「番組説明」タブ、４８はページ、４９ａは項目「辞書」、４９ｂは項目「ショップ」、４９ｃは項目「地図」、４９ｄは項目「全画面」、５０はカーソル、５１はウェブ用リモコン画面であり、前出図面に対応する部分には同一符号をつけて重複する説明を省略する。なお、ここでも、説明に必要な部分にのみ符号を付している。
【００５９】
図４（ｃ）に示すＴＶ表示画面１３と手元表示画面１１とで異なる受信番組の受信番組画面３６，３６ａが表示された状態で「画面送り」ボタン２１ａがタッチ操作されると、これら表示画面１３，１１で図５（ａ）に示す表示状態となる。
【００６０】
かかる表示状態では、図４（ｃ）に示す手元表示画面１１で表示されていた受信番組画面３６ａが、制御装置１の上記のチャンネル切り替え制御のもとに、ＴＶ表示画面１３に受信番組画面３６に代わって表示され、手元端末１０では、ＴＶ受像機１２での受信番組を選択するための受信番組用リモコン画面４０が手元表示画面１１に表示される。この場合、これらＴＶ表示画面１３と手元表示画面１１では、これまで表示されていた画面が上方にスライドし、その後から続いて新たに表示される画面が下からスライドして現われてきて、表示される画面の切り替えが行なわれる。後述する他の画面の切り替えについても、特に断らない限り同様である。
【００６１】
この受信番組用リモコン画面４０は、地上デジタルやＢＳ（Broadcasting Satellite），ＣＳ(Communication Satellite)などの放送形態をキーワードとして、そのキーワード毎に、即ち、「地上デジタル」タブ４１ａ，「ＢＳ」タブ４１ｂ，「ＣＳ」タブ４１ｃを設けたものであり、それらの１つが選択されていて、選択されたタブ４１（タブ４１ａ，４１ｂ，４１ｃ，……の総称）に対してページ４２が展開されている。そして、この展開されたページ４２には、タブ４１で表わされるキーワードの詳細、即ち、現時点で放送されている放送番組がタッチ操作で選択可能な番組アイコン４３で表示されている。
【００６２】
そして、展開されたページ４２での番組アイコン４３のいずれか１つにカーソル４４が当てられて選択された状態にあり、このように、カーソル４４で選択されている番組アイコン４３の番組がＴＶ受像機１２で受信されてそのＴＶ表示画面１３で表示されているものである。カーソル４４が当てられていない他の番組アイコン４３をタッチ操作すると、この番組アイコン４３にカーソル４４が当てられるとともに、ＴＶ受像機１２では、この新たにカーソル４４が当てられた番組アイコン４４に該当する放送番組が受信番組となり、その番組画面がこれまでの受信番組画面３６ａに代わって表示されることになる。従って、カーソル４４は、現時点におけるＴＶ受像機１２での受信番組を表わすものである。
【００６３】
このように、手元表示画面１１で選択したコンテンツ（ここでは、受信番組）をＴＶ表示画面１３に表示させるように画面送り操作をした場合には、手元表示画面１１には、ＴＶ表示画面１３で表示中のコンテンツに対応した操作画面（ここでは、受信番組用リモコン画面４０）が表示されるので、当該コンテンツに関する操作を容易に行なうことができ、便利である。
【００６４】
なお、通常のウェブページと同様に、ページ４２の右上角部に「閉じる」ボタン４５ａが設けられており、この「閉じる」ボタン４５ａをタッチ操作すると、あるいは「ホーム」ボタン２１ｆをタッチ操作しても、受信番組用リモコン画面４０が消えて、図４（ａ）に示すホーム画面３１の表示状態に戻る。但し、ＴＶ受像機１２では、受信番組画面３６ａがそのまま表示されている。
【００６５】
このように、図５（ａ）で示す表示状態でＴＶ表示画面１３に表示されている受信番組の関連情報を知りたい場合には、「関連情報」ボタン２１ｃをタッチ操作する。この場合には、図５（ｂ）に示すように、ＴＶ受像機１２では、受信番組画面３６ａがそのままＴＶ表示画面１３で表示された状態で、手元表示画面１１では、関連する項目毎にタブが設定された関連ウェブ画面４６が表示される。ここでは、例えば、「関連ウェーブ」タブ４７ａ，「関連番組」タブ４７ｂ，「番組説明」タブ４７ｃなどが設定されているものとし、これらのいずれかが選択されてページ４８が展開されている。ここでは、「関連ウェーブ」タブ４７ａが選択されているものとしており、これにより、ウェブページ４８が展開されて、そこにＴＶ表示画面１３に表示されている受信番組画面３６ａの関連情報が表示されている。
【００６６】
ここで、関連情報とは、このＴＶ表示画面１３に表示されているコンテンツ（ここでは、受信番組画面３６ａ）で紹介される店舗などの施設や公園などの名所などに関する情報である。かかる関連情報は、先に説明したように、制御装置１が取得して提供されるものである。
【００６７】
また、ページ４８（ここでは、ウェブページ）には、項目「辞書」４９ａ，項目「ショップ」４９ｂ，項目「地図」４９ｃなどの選択ボタンが設定されており、これらのいずれかをタッチ操作して選択することにより、ページ４８に表示される関連情報を辞書からの情報やショップの紹介情報に切り替えることができるし、地図が表示されてその紹介場所を表示するようにすることもできる。また、ページ４８の画面を手元表示画面１１の全体にわたって拡大表示する「全画面」ボタン４９ｄも設けられている。さらに、通常のウェブページと同様に、ページ４５の右上角部に「閉じる」ボタン４５ｂが設けられており、この「閉じる」ボタン４５ｂをタッチ操作することにより、図５（ａ）に示す受信番組用リモコン画面４０の表示に戻る。
【００６８】
次に、図５（ｂ）に示す表示状態で「画面送り」ボタン２１ａがタッチ操作されると、図５（ｃ）に示すように、ＴＶ表示画面１３では、これまで手元表示画面１１に表示されていた関連ウェブ画面４６がそのときの状態で表示され、手元表示画面１１は、タッチパッドとして機能するウェブ用リモコン画面５１が表示される。また、ＴＶ表示画面１３１２での関連ウェブ画面４６には、カーソル５０が表示され、手元表示画面１１でのウェブ用リモコン画面５１でタッチパッド操作することにより、このカーソル５０を移動させることができる。これにより、ＴＶ表示画面１３で表示された関連ウェブ画面４６を、手元表示画面１１でのウェブ用リモコン画面５１のタッチパッド操作により、操作することができる。
【００６９】
ここで、手元表示画面１１でウェブ用リモコン画面５１が表示されている状態で、「機能」ボタン２１ｅがタッチ操作されると、ブラウザボタン（図示せず）が表示され、「ホーム」ボタン２１ｆが表示されると、この手元表示画面１１は、図４（ａ）に示すホーム画面３１の表示に変わる。
【００７０】
ここでも、手元表示画面１１で選択したコンテンツ（ここでは、関連ウェブ画面）をＴＶ表示画面１３に表示させるように画面送り操作をした場合には、手元表示画面１１には、ＴＶ表示画面１３で表示中のコンテンツに対応した操作画面（ここでは、ウェブ用リモコン画面５１）が表示されるので、当該コンテンツに関する操作を容易に行なうことができ、便利である。
【００７１】
なお、図５（ａ）に示す受信番組用リモコン画面４０は、手元表示画面１１にこれ以外の画面が表示されているとき、「リモコンモード」ボタン２１ｂをタッチ操作することによっても、この手元表示画面１１に表示させ、図５（ａ）に示す表示状態とすることができる。従って、この場合も、図５に示す操作を行なうことができる。
【００７２】
図６は図２における「画面受取」ボタン２１ｂの操作と図１における制御装置１での記憶装置５からコンテンツの再生操作とによる画面の流れの一具体例を示す図であって、３１ａはホーム画面、３４ａはコンテンツアイコン、５２は録画コンテンツ画面であり、前出図面に対応する部分には同一符号をつけて重複する説明を省略する。なお、図６では、説明に必要な部分にのみ符号を付けている。
【００７３】
例えば、図５（ｃ）に示す表示状態にあるとき、手元端末１０で「画面受取」ボタン２１ｂがタッチ操作されると、ＴＶ表示画面１３で表示されていた関連ウェブ画面４６の表示が手元表示画面１１に移り、ＴＶ受像機１２では、関連ウェブ画面４６の表示の直前に表示されていた画面（ここでは、受信番組画面３６ｂ）が再び表示される状態になる。図６（ａ）はかかる表示状態を示すものであって、このように、「画面受取」ボタン２１ｂのタッチ操作により、ＴＶ表示画面１３に表示されている画面を手元表示画面１１に移して表示させることができる。
【００７４】
図６（ａ）に示す表示状態で、手元端末１０の、例えば、「ホーム」ボタン２１ｂがタッチ操作されると、その手元表示画面１１に図４（ａ）に示したホーム画面３１と同様のホーム画面３１ａが表示されて図６（ｂ）に示す表示状態となり、ホーム画面３１と同様の操作を行なうことができる。
【００７５】
そこで、図６（ｂ）に示すかかる表示状態で、このホーム画面３１ａでの、例えば、所望の録画コンテンツのコンテンツアイコン３４ａがタッチ操作されると、図６（ｃ）に示すように、手元表示画面１１の全体に、制御装置１（図１）の記憶装置５から再生されるこの録画コンテンツ（録画番組や記録されてウェブページなどのコンテンツ）の画面（録画コンテンツ画面）５２が表示される。このときも、ＴＶ表示画面１３に表示される画面は変わらず、受信番組画面３６ａがそのまま表示されている。
【００７６】
このようにして、「ホーム」ボタン２１ｆをタッチ操作することにより、希望する録画コンテンツを手元表示画面１１に表示させることができる。
【００７７】
図７は録画コンテンツの再生操作とその画面の流れの一具体例を示す図であって、３１ｂはホーム画面、４５ｃ，４５ｄは「閉じる」ボタン、５２ａは録画コンテンツ再生画面、５３は再生操作用リモコン画面、５４は再生操作ボタン、５４ａは「停止」ボタン、５５は再生関連画像であり、前出図面に対応する部分には同一符号を付けて重複する説明を省略する。但し、図７では説明に必要な部分にのみ符号を付けている。
【００７８】
図６（ｃ）に示す表示状態にあるとき、手元端末１０で「画面送り」ボタン２１ａがタッチ操作されると、手元表示画面１１に表示されていた録画コンテンツ再生画面５２がＴＶ受像機１２に移り、図７（ａ）に示すように、ＴＶ表示画面１３にこの録画コンテンツ再生画面５２ａが表示される。そして、これとともに、手元表示画面１１には、再生操作用リモコン画面５３が表示され、再生，停止，一時停止，早送り，巻戻しなどの再生操作ボタン５４や再生状況，各再生時間での場面などを示す再生関連画像５５などが表示され、かかる操作ボタン５４をタッチ操作することにより、その操作信号が手元端末１０から制御装置１（図１）に送られて制御部２が記憶装置５の制御動作をすることにより、手元表示画面１１で各種の再生動作が行なわれる。このように、手元端末１０は、録画コンテンツの再生操作のためのリモコンとして機能するものである。
【００７９】
ここでも、手元表示画面１１で選択したコンテンツ（ここでは、録画コンテンツ再生画面）をＴＶ表示画面１３に表示させるように画面送り操作をした場合には、手元表示画面１１には、ＴＶ表示画面１３で表示中のコンテンツに対応した操作画面（ここでは、再生操作用リモコン画面５３）が表示されるので、当該コンテンツに関する操作を容易に行なうことができ、便利である。
【００８０】
なお、この再生操作用リモコン画面５３には、「閉じる」ボタン４５ｃも設けられており、この「閉じる」ボタン４５ｃがタッチ操作されると、手元端末１０では、ホーム画面（図４（ａ）や図６（ｂ）に示すホーム画面３１，３１ａ）が手元表示画面１１に表示された状態となる。但し、ＴＶ受像機１２では、再生状態が続き、録画コンテンツ再生画面５２がそのまま表示される。
【００８１】
図７（ａ）に示す表示状態で、手元表示画面１１に表示される再生操作用リモコン画面５３での再生操作ボタン５４のうち、「停止」ボタン５４ａがタッチ操作されると、図７（ｂ）に示すように、ＴＶ受像機１２は録画コンテンツ再生画面５２ａを表示する前の受信番組の受信状態に戻り、その受信番組画面３６ａがＴＶ表示画面１３に表示される。
【００８２】
また、手元端末１０では、図５（ａ）に示す受信番組用リモコン画面４０と同様の受信番組用リモコン画面４０ａが表示され、図５（ａ）で先に説明したように、ＴＶ受像機１２での受信番組の選択・切り替えを行なうことができる。
【００８３】
図７（ａ）から図７（ｂ）のように、ＴＶ表示画面１３が録画コンテンツ再生画面から受信番組画面に切り替わったとき、手元表示画面１１もＴＶ表示画面１３の表示内容に対応して、再生操作用リモコン画面５３から受信番組用リモコン画面４０に切り替わるので、ＴＶ表示画面１３に表示されたコンテンツに対する操作を容易にかつスムーズに行なうことができる。
【００８４】
このように、手元端末１０は、リモコンと同様、録画コンテンツの再生操作や受信番組のチャンネル切替え操作を行なうことができる機能を有している。
【００８５】
図７（ｂ）に示す表示状態にあるときに、手元表示画面１１で表示される受信番組用リモコン画面４０ａの「閉じる」ボタン４５ｄがタッチ操作されると、図５（ａ）に示す状態で手元端末１０の受信番組用リモコン画面４０で表示される「閉じる」ボタン４５ａがタッチ操作されたときと同様に、ホームベース画面３１ｂが手元表示画面１１に表示される図７（ｃ）に示す状態となる。この場合も、ＴＶ受像機１２では、そのＴＶ表示画面１３にそれまで表示されていた受信番組画面３６ａがそのまま表示されている。
【００８６】
以上のように、この実施形態では、手元端末１０の操作ボタンの操作や画面のタッチ操作により、放送番組やウェブページ，録画コンテンツの選択やその関連情報の取得、手元端末１０とＴＶ受像機１２との間の画面の転移などの操作を行なうことができる。
【００８７】
ところで、以上は一連の操作に伴う画面の流れを説明したものであるが、手元端末１０に設けられた図２に示す操作ボタンの操作によっても、同様の各種の画面を表示させることができる。以下、これについて説明する。
【００８８】
図８は図２における「画面送り」ボタン２１ａのタッチ操作による画面表示の変化を示すフローチャートである。
【００８９】
同図において、手元端末１０で「画面送り」ボタン２１ａがタッチ操作されたときに（ステップＳ１００）、図４（ａ）に示すように、手元表示画面１１に受信番組画面３６ａが表示されていると（ステップＳ１０１が“Ｙｅｓ”）、図５（ａ）に示すように、この受信番組画面３６ａがＴＶ受像機１２に移り、そのＴＶ表示画面１３にこれと同じ受信番組画面３６ａが表示され（ステップＳ１０２）、手元表示画面１１には、受信番組用リモコン画面４０が表示されてＴＶ受像機１２での受信番組を選択するリモコン操作が可能となる（ステップＳ１０３）。
【００９０】
また、手元端末１０で「画面送り」ボタン２１ａがタッチ操作されたときに（ステップＳ１００）、図６（ｃ）に示すように、手元表示画面１１に録画コンテンツ再生画面５２が表示されているとすると（ステップＳ１０４の“Ｙｅｓ”）、図７（ａ）に示すように、この録画コンテンツ再生画面５２がＴＶ受像機１２に移り、そのＴＶ表示画面１３にこれと同じ録画コンテンツ再生画面５２ａが表示され（ステップＳ１０５）、手元表示画面１１には、再生操作用リモコン画面５３が表示されてＴＶ受像機１２で録画コンテンツの再生を制御するリモコン操作が可能となる（ステップＳ１０６）。
【００９１】
さらに、手元端末１０で「画面送り」ボタン２１ａがタッチ操作されたときに（ステップＳ１００）、図５（ｂ）に示すように、手元表示画面１１に関連ウェブ画面４６などのウェブ画面が表示されているとすると（ステップＳ１０７の“Ｙｅｓ”）、図５（ｃ）に示すように、このウェブ画面がＴＶ受像機１２に移ってＴＶ表示画面１３に表示され（ステップＳ１０８）、手元表示画面１１には、ウェブページの選択などの操作を行なうためのウェブ用リモコン画面が表示される（ステップＳ１０９）。
【００９２】
以上の画面以外の図３（ｃ）や図４（ａ），図６（ｃ），図７（ｃ）に示すホーム画面３１ａ〜３１ｃ、図５（ａ）や図５（ｃ），図７（ｂ）に示すリモコン画面が手元表示画面１１に表示されているときに、手元端末１０で「画面送り」ボタン２１ａがタッチ操作されても（ステップＳ１０１，Ｓ１０４，Ｓ１０７が“Ｎｏ”）、手元端末１０とＴＶ受像機１２との手元表示画面１１，１３では、何ら変化はなく、そのままの状態が維持される（ステップＳ１１０）。
【００９３】
図９は図２における「リモコンモード」ボタン２０ｂのタッチ操作による画面表示の変化を示すフローチャートである。
【００９４】
同図において、手元端末１０で「リモコンモード」ボタン２０ｂがタッチ操作されたときに（ステップＳ２００）、ＴＶ受像機１２がそのＴＶ表示画面１３に図５（ａ）に示すような受信番組画面３６ａが表示された状態にあると（ステップＳ２０１が“Ｙｅｓ”）、手元端末１０では、その手元表示画面１１に図５（ａ）や図７（ｂ）に示すような受信番組を選択するための受信番組用リモコン画面４０が表示される状態となる（ステップＳ２０２）。
【００９５】
また、手元端末１０で「リモコンモード」ボタン２０ｂがタッチ操作されたときに（ステップＳ２００）、ＴＶ受像機１２がそのＴＶ表示画面１３に図７（ａ）に示すような録画コンテンツ再生画面５２ａが表示された状態にあると（ステップＳ２０３が“Ｙｅｓ”）、手元端末１０では、その手元表示画面１１に図７（ａ）に示すような録画コンテンツの再生状態を制御するための再生操作用リモコン画面５３が表示される状態となる（ステップＳ２０４）。これにより、再生を中止したり、早送り，巻戻しの操作をすることが可能となる。
【００９６】
さらに、手元端末１０で「リモコンモード」ボタン２０ｂがタッチ操作されたときに（ステップＳ２００）、ＴＶ受像機１２がそのＴＶ表示画面１３に図５（ｃ）に示すような関連ウェブ画面４６が表示された状態にあると（ステップＳ２０５が“Ｙｅｓ”）、手元端末１０では、その手元表示画面１１に図５（ｃ）に示すような関連ウェブ画面４６でカーソル操作を可能とするウェブ用リモコン画面５１が表示される状態となる（ステップＳ２０６）。
【００９７】
以上の画面以外の画面がＴＶ表示画面１３に表示されているときには（ステップＳ２０１，Ｓ２０３，Ｓ２０５が“Ｎｏ”）、手元端末１０で「リモコンモード」ボタン２０ｂがタッチ操作されても、表示状態は変化しない（ステップＳ２０７）。
【００９８】
図１０は図２における「録画」ボタン２１ｄのタッチ操作による画面表示の変化を示すフローチャートである。
【００９９】
同図において、手元端末１０で「録画」ボタン２１ｄがタッチ操作されたときに（ステップＳ３００）、ＴＶ受像機１２がそのＴＶ表示画面１３のみにコンテンツ（図５（ａ）に示すような受信番組画面や図５（ｃ）に示すようなウェブページ画面）が表示された状態にあると（ステップＳ３０１が“Ｙｅｓ”）、かかるコンテンツが制御装置１の記録装置５に記録される（ステップＳ３０２）。
【０１００】
また、手元端末１０で「録画」ボタン２１ｄがタッチ操作されたときに（ステップＳ３００）、手元端末１０の手元表示画面１１にのみかかるコンテンツが表示された状態にあると（ステップＳ３０３が“Ｙｅｓ”）、かかるコンテンツが制御装置１の記録装置５に記録される（ステップＳ３０４）。
【０１０１】
さらに、手元端末１０で「録画」ボタン２１ｄがタッチ操作されたときに（ステップＳ３００）、ＴＶ受像機１２がそのＴＶ表示画面１３と手元端末１０の手元表示画面１１とにかかるコンテンツが表示された状態にあると（ステップＳ３０１が“Ｎｏ”、かつステップＳ３０３が“Ｎｏ”）、図示しないが、手元端末１０の手元表示画面１１にいずれかの画面を選択させるための「どちらの画面を録画しますか？」といったようなダイアログ画面が表示され（ステップＳ３０５）、いずれかの表示が選択されると、ステップＳ３０１，Ｓ３０３のいずれかが“Ｙｅｓ”と判定されて、ステップＳ３０２またはステップＳ３０４の録画処理が行なわれる。
【０１０２】
図１１は図２における「関連情報」ボタン２１ｃのタッチ操作による画面表示の変化を示すフローチャートである。
【０１０３】
同図において、手元端末１０で「関連情報」ボタン２１ｃがタッチ操作されたときに（ステップＳ４００）、ＴＶ受像機１２がそのＴＶ表示画面１３にのみコンテンツ（図５（ａ）に示すような受信番組画面や図５（ｃ）に示すようなウェブページ画面）が表示された状態にあると（ステップＳ４０１が“Ｙｅｓ”）、ＴＶ表示画面１３に表示されるこのコンテンツの関連情報の画面、例えば、図５（ｂ）に示すような関連ウェブ画面４６が手元端末１０の手元表示画面１１に表示される（ステップＳ４０２）。
【０１０４】
また、手元端末１０で「関連情報」ボタン２１ｃがタッチ操作されたときに（ステップＳ４００）、手元端末１０の手元表示画面１１にのみかかるコンテンツが表示された状態にあると（ステップＳ４０３が“Ｙｅｓ”）、手元表示画面１１に表示されるこのコンテンツの関連情報の画面、例えば、図５（ｂ）に示すような関連ウェブ画面４６が手元端末１０の手元表示画面１１に表示される（ステップＳ４０４）。
【０１０５】
さらに、手元端末１０で「関連情報」ボタン２１ｃがタッチ操作されたときに（ステップＳ４００）、ＴＶ表示画面１３と手元表示画面１１とにかかるコンテンツが表示された状態にあると（ステップＳ４０１が“Ｎｏ”、かつステップＳ４０３が“Ｎｏ”）、図示しないが、手元端末１０の手元表示画面１１にいずれかの画面の関連情報を選択させるための「どちらの画面の関連情報を表示しますか？」といったようなダイアログ画面が表示され（ステップＳ４０５）、いずれかの表示が選択されると、ステップＳ４０１，Ｓ３０３のいずれかが“Ｙｅｓ”と判定されて、ステップＳ４０２またはステップＳ４０４の関連情報の表示処理が行なわれる。
【０１０６】
このように、ＴＶ表示画面１３や手元表示画面１１にコンテンツが表示されているときに「関連情報」ボタン２１ｃがタッチ操作されると、かかるコンテンツの関連情報が手元表示画面１１で閲覧することが可能となる。
【０１０７】
ところで、先の説明では、図６（ｂ）に示す手元表示画面１１に表示されるホーム画面３１ａで所望のコンテンツの画面のアイコン３４ａをタッチ操作すると、図６（ｃ）に示すように、手元表示画面１１にそのコンテンツの画面が表示され、かかる状態で手元端末１０で「画面送り」ボタン２１ａがタッチ操作されると、手元表示画面１１に表示されていたこのコンテンツの画面がＴＶ受像機１２に移って、図７（ａ）に示すように、ＴＶ表示画面１３に表示されるものであった。
【０１０８】
また、図４（ｂ）に示す手元表示画面１１に表示される番組選択画面３７で所望の受信番組のサムネイル３８ｂがタッチ操作されると、図４（ｃ）に示すように、手元表示画面１１にその受信番組の画面が表示され、かかる状態で手元端末１０で「画面送り」ボタン２１ａがタッチ操作されると、手元表示画面１１に表示されていたこの受信番組の画面がＴＶ受像機１２に移って、図５（ａ）に示すように、ＴＶ表示画面１３に表示されるものであった。
【０１０９】
これに対し、この実施形態では、図６（ｂ）に示すようなホーム画面３１ａでアイコンを操作することにより、あるいは図４（ｂ）に示すような番組選択画面３７でサムネイルを操作することにより、直接ＴＶ表示画面１３にかかるアイコンやサムネイルに該当するコンテンツの画面を表示開始させるようにすることもできる。
【０１１０】
図１２はかかる操作とこれによる一連の処理動作を示すフローチャートであって、上記のアイコンやサムネイルをコンテンツボタンと総称して説明する。
【０１１１】
同図において、ホーム画面３１ａや番組選択画面３７などのコンテンツボタンが設けられた操作画面が手元表示画面１１に表示されている状態において、そのいずれかのコンテンツボタンに指先が触れ（ステップＳ５００）、次いで、この指先が手元表示画面１１から離れることによってこのコンテンツボタンから指先が離れる（ステップＳ５０１）動作が行なわれた場合、この指先がこのコンテンツボタンから離れるとき、この指先が手元表示画面１１上を上方に向かって一定速度で移動しながら離れたときには（ステップＳ５０２で“Ｙｅｓ”）、このコンテンツボタンに該当するコンテンツの画面が直接ＴＶ表示画面１３に表示され、指先がかかる移動をすることなく離れた場合には（ステップＳ５０２の“Ｎｏ”）、図６（ｃ）や図４（ｃ）に示すように、このコンテンツボタンに該当するコンテンツの画面は手元表示画面１１に表示される。従って、この場合には、先に説明したように、「画面送り」ボタン２１ａがタッチ操作されることにより、コンテンツの画面はＴＶ表示画面１３に移って表示されることになる。従って、図１２に示すようにタッチ操作をしたときには、「画面送り」ボタン２１ａのタッチ操作を省いてコンテンツの画面を直接ＴＶ表示画面１３に表示させることができる。
【０１１２】
以上のようにして、この実施形態では、手元端末１０の操作により、テレビ受像機１２の表示画面、即ち、ＴＶ表示画面１３で表示される受信番組やウェブページ，録画コンテンツなどの各種コンテンツに関する操作を行なうことができるとともに、手元表示画面１１とＴＶ表示画面１３との間の各種画面の移動を行なうことができる。
【０１１３】
図１３及び図１４は本発明によるテレビ操作方法の第２の実施形態の要部を示す図であって、６０はカメラ、６１はユーザ、６２は視線であり、前出図面に対応する部分には同一符号を付けて重複する説明を省略する。
【０１１４】
この第２の実施形態は、手元表示画面１１とＴＶ表示画面１３との間の各種画面の移動操作方法として、手元端末１０を使用するユーザの視線も利用することができ点で、先の第１の実施形態と異なるものである。これ以外の点については、先の第１の実施形態と同様である。
【０１１５】
図１３において、手元端末１０には、その手元表示画面１１の上側にカメラ６０が設けられており、この手元表示画面１１の前方を撮像している。その撮像された映像信号は制御装置１（図１）に送信され、その制御部２に供給されて処理される。
【０１１６】
図１３（ａ）に示すように、ユーザ６１がこの手元端末１０を手に持って使用する場合には、カメラ６０はこのユーザ６１の顔面を含む範囲を撮像するが、制御装置１の制御部２は、カメラ６０の撮像範囲内の所定のエリア内に両眼があるとき、この両眼の画像を検出し、この両眼の動きから視線６２の動きを検出する。この両眼を検出するエリアとしては、ユーザ６１が手元表示画面１１を自分の顔の正面で見たときのカメラ６０の撮像範囲での両眼の画像が含まれる領域である。ここで、手元表示画面１１でコンテンツ、例えば、受信番組画面３６ａが表示されているものとし、このとき、視線６２がこの手元表示画面１１の方をその正面から向いていることが制御装置１の制御部２で検出されているときには、表示状態は変わらず、手元表示画面１１でそのまま受信番組画面３６ａが表示され、ＴＶ受像機１２のＴＶ表示画面１３でも、そのとき表示されている図示しない画面がそのまま表示され続ける。
【０１１７】
これに対し、この手元表示画面１１に表示されている受信番組画面３６ａをＴＶ表示画面１３で表示させるために、図１３（ｂ）に示すように、ユーザ６２がその視線６２を所定時間だけ手元表示画面１１に向けた後、手元表示画面１１に対して特定の方向、例えば、上の方向に移して視線６２を所定時間だけその方向に向けたままにすると、制御装置１の制御部２がこれを検出して視線を受信番組画面３６ａをＴＶ表示画面１３に移すように手元端末１０から指令を受けたものと判定し、この受信番組画面３６ａをＴＶ表示画面１３に、受信番組画面３６ａとして、表示させる。
【０１１８】
このように、手元表示画面１１の受信番組画面３６ａをＴＶ表示画面１３に移す場合には、ユーザ６１はこの手元表示画面１１をＴＶ表示画面１３に平行になるようにするものであり、このとき、視線６２を手元表示画面１３の上方向に向けることは、ユーザ６１の視線６２はＴＶ表示画面１３の方を向いていることになる。そこで、上記のように、視線６２を所定時間手元表示画面１１に向け、次いで、ＴＶ表示画面１３に視線６２を移して所定時間このＴＶ表示画面１３に向けることは、視線６２で手元表示画面１１での受信番組画面３６ａをＴＶ表示画面１３に移す意図があることを表わすものであり、この移動作業を視線６２によって行なうような感覚をユーザ６１に与えることになる。また、視線６２をそのまま所定時間ＴＶ表示画面１３に向けておくことは、ユーザが移動させた受信番組画面３６ａをＴＶ表示画面１３で表示させる意図があることを表わすものであり、視線６２で運ばれた受信番組画面３６ａをＴＶ表示画面１３上に置くような感覚をユーザ６１に与えることになる。
【０１１９】
このように、手元表示画面１１での受信番組画面３６ａをＴＶ表示画面１３に移されたときには、手元表示画面１１では、他の画面、例えば、図５（ａ）に示す受信番組用リモコン画面４０が表示させる。
【０１２０】
また、図１３（ｂ）に示す表示状態で、ユーザ６１の視線６２がＴＶ表示画面１３の方向、即ち、手元表示画面１１よりも上の方向に所定時間以上向けられ、次いで、視線６２を手元表示画面１１の方向に向けられると、それより所定時間経過後、ＴＶ表示画面１３に表示されていた受信番組画面３６ａは手元表示画面１１に移る。この場合、ＴＶ表示画面１３では、この受信番組画面３６ａの前の画面の表示状態に戻る。
【０１２１】
なお、他の具体例としては、このように、ＴＶ表示画面１３の方向に視線６２を所定時間向けた後、その視線６２を手元表示画面１１に向けても、このＴＶ表示画面１３に表示されている受信番組画面３６ａが手元表示画面１１に移らず、図５（ａ）に示すような受信番組用リモコン画面４０が表示されるようにしてもよい。この場合には、手動操作によらず、受信番組用リモコン画面４０を表示させることが可能となる。
【０１２２】
図１４は手元表示画面１１に関連ウェブ画面４６が表示されている場合を示すものであって、図１３の場合と同様にして、図１４（ａ）に示すように、関連ウェブ画面４６が表示されている手元表示画面１１に所定時間視線６２を向けた状態にした後、図１４（ｂ）に示すように、この視線６２をＴＶ表示画面１３に移し、かかる状態が所定時間経過すると、関連ウェブ画面４６がＴＶ表示画面１３に表示され、手元表示画面１１は、図５（ｃ）に示すようなウェブ用リモコン画面５１が表示された状態となる。
【０１２３】
この場合も、ユーザ６１の視線６２がＴＶ表示画面１３の方向、即ち、手元表示画面１１よりも上の方向に所定時間以上向けられ、次いで、視線６２を手元表示画面１１の方向に向けられると、かかる状態が所定時間経過後、手元表示画面１１に関連ウェブ画面４６が表示される表示状態に戻る。
【符号の説明】
【０１２４】
１は制御装置、２は制御部、３ａ，３ｂはチューナ、４は電源、５は記憶装置、６はリモコン受信部、７は入出力部、８は通信部、９はアンテナ、１０は手元端末、１１は手元表示画面、１２はＴＶ（テレビジョン）受像機、１３はＴＶ表示画面、１４はリモコン、１５はネットワーク、２０ａは「テレビ電源」ボタン、２０ｂは「リモコンモード」ボタン、２０ｃは「チャンネル切替」ボタン、２０ｄは「音量調整」ボタン、２０ｅは「消音」ボタン、２１ａは「画面送り」ボタン、２１ｂは「画面受取」ボタン、２１ｃは「関連情報」ボタン、２１ｄは「録画」ボタン、２１ｅは「機能」ボタン、２１ｆは「ホーム」ボタン、３０はメールアイコン、３１〜３１ｃはホーム画面、３２ａは「ホーム」項目、３２ｂは「テレビ番組」項目、３２ｃは「番組表」項目、３２ｄは「見る」項目、３３は内容表示エリア、３４，３４ａはコンテンツアイコン、３５は情報表示ウィンドウ、３６，３６ａは受信番組画面、３７は番組選択画面、３８ａ，３８ｂ，３８ｃはサムネイル、４０は受信番組用リモコン画面、４１ａ，４１ｂ，４１ｃはタブ、４２はページ、４３は番組アイコン、４４はカーソル、４５ａ〜４５ｄは「閉じる」ボタン、４６は関連ウェブ画面、４７ａは「関連ウェーブ」タブ、４７ｂは「関連番組」タブ、４７ｃは「番組説明」タブ、４８はページ、４９ａは項目「辞書」、４９ｂは項目「ショップ」、４９ｃは項目「地図」、４９ｄは項目「全画面」、５０はカーソル、５１はウェブ用リモコン画面、５２，５２ａは録画コンテンツ再生画面、５３は再生操作用リモコン画面、５４は再生操作ボタン、５４ａは「停止」ボタン、５５は再生関連画像、６０はカメラ、６１はユーザ、６２は視線
【図１】
2010239251.tif 000003
【図２】
2010239251.tif 000004
【図３】
2010239251.tif 000005
【図４】
2010239251.tif 000006
【図５】
2010239251.tif 000007
【図６】
2010239251.tif 000008
【図７】
2010239251.tif 000009
【図８】
2010239251.tif 000010
【図９】
2010239251.tif 000011
【図１０】
2010239251.tif 000012
【図１１】
2010239251.tif 000013
【図１２】
2010239251.tif 000014
【図１３】
2010239251.tif 000015
【図１４】
2010239251.tif 000016